(57)【要約】      （修正有）【課題】ブラシ台の毛材による洗浄等に加えて、ヘラなどの掻き取り部による汚れ落としも便利に行えるブラシを提供する。【解決手段】毛材１２ａ、１３ａを有するブラシ台１２、１３と、掻き取り用の掻き取り部１４、１５を、柄１６に備えたブラシにおいて、柄を棒状に形成し、柄の長手方向の一端部に、ブラシ台１２を着脱可能に取り付ける取り付け部２１を形成する。取り付け部の先端部に、ブラシ台１２を分離したときに使用可能となる掻き取り部１４を形成する。柄の長手方向の他端部には、柄と一体である別のブラシ台１３と別の掻き取り部１５を形成する。【選択図】図１
0003221986.tif 000002
【実用新案登録請求の範囲】
【請求項１】
毛材を有するブラシ台と、掻き取り用の掻き取り部を、柄に備えたブラシであって、
前記柄の少なくとも一部に、前記ブラシ台を着脱可能に取り付ける取り付け部が形成され、
前記取り付け部に、前記ブラシ台を分離したときに使用可能となる前記掻き取り部が形成された
ブラシ。
【請求項２】
前記取り付け部が、前記ブラシ台に対して差し込んで取り付けられるものであるとともに、
前記取り付け部の先端部に前記掻き取り部が形成された
請求項１に記載のブラシ。
【請求項３】
前記取り付け部が、前記ブラシ台に当接する当接面と、前記当接面から延びる軸部と、前記軸部の先端において、前記軸部の周方向の一部に張り出す抜け止め部を有し、
前記ブラシ台が、一定の位置関係において前記軸部と前記抜け止め部を貫通する取り付け穴と、前記軸部を中心にして前記一定の位置関係から回転したときに前記抜け止め部と係合する係合部を有する
請求項１または請求項２に記載のブラシ。
【請求項４】
前記抜け止め部の前記軸部と反対側の面に、前記掻き取り部が形成された
請求項３に記載のブラシ。
【請求項５】
前記掻き取り部が前記面に対して垂直方向に突出する山形であり、複数配設された
請求項４に記載のブラシ。
【請求項６】
前記取り付け部が前記柄の一端部に形成されるとともに、
前記柄の他端部に、前記柄と一体である別の前記ブラシ台と別の前記掻き取り部が形成された
請求項１から請求項５のうちいずれか一項に記載のブラシ。
【請求項７】
前記柄が棒状であり、
前記柄の長手方向の一端部に前記取り付け部が形成されるとともに、
前記柄の長手方向の他端部に、前記柄と一体である別の前記ブラシ台と別の前記掻き取り部が形成され、
別の前記掻き取り部が、別の前記ブラシ台の縁に形成された
請求項１から請求項５のうちいずれか一項に記載のブラシ。
【考案の詳細な説明】
【技術分野】
【０００１】
この考案は、清掃等に用いられるブラシに関し、より詳しくは、ヘラのような掻き取り用の掻き取り部を備えたブラシに関する。
【背景技術】
【０００２】
掻き取り部を備えたブラシとして、下記特許文献１、２に開示されたものがある。
【０００３】
特許文献１のブラシは、ブラシの柄における毛材を有するブラシ台とは反対側の端にヘラを備えている。特許文献２のブラシは、ブラシの柄におけるブラシ台の隣接位置に鋭利端を備えている。
【０００４】
特許文献２のようにブラシ台と鋭利端を並べて備える場合には、特許文献１の場合とは異なって、柄の長手方向の向きをかえて柄を持ち替えることなくブラシ台と鋭利端の使い分けができるという利点を有する。
【０００５】
しかし、ブラシ台と鋭利端を並べて備えるので、特にブラシ台が力を入れて使用する形態のものである場合に、ブラシ台の毛材でこすっている時に、鋭利端が必要でない部位に当たって、その部位を損傷したりするおそれがある。また、特許文献１の場合も含めて、掻き取り部（ヘラ、鋭利端）はブラシ台と一体であるので、使用した掻き取り部の汚れ除去に、ブラシ台の毛材を使用することはできない。
【先行技術文献】
【特許文献】
【０００６】
【特許文献１】実開昭６１−１９２７３１号公報
【特許文献２】実開平４−４８１９号公報
【考案の概要】
【考案が解決しようとする課題】
【０００７】
この考案は、使い勝手をよくすることを主な目的とする。
【課題を解決するための手段】
【０００８】
そのための手段は、毛材を有するブラシ台と、掻き取り用の掻き取り部を、柄に備えたブラシであって、前記柄の少なくとも一部に、前記ブラシ台を着脱可能に取り付ける取り付け部が形成され、前記取り付け部に、前記ブラシ台を分離したときに使用可能となる前記掻き取り部が形成されたブラシである。「使用可能となる」とは、ブラシ台を分離したことによって露出したり解放されたりして、掻き取り部としての機能を発揮できるようになることをいう。
【０００９】
この構成では、柄の取り付け部にブラシ台が取り付けられている時には、取り付け部に形成されたか掻き取り部は使用不能な状態であり、毛材を用いての洗浄等がなされる。一方、取り付け部からブラシ台を分離すると、掻き取り部が使用可能になり、こびりついた汚れの掻き取りなどが可能になる。掻き取り部に着いた汚れの除去は、分離したブラシ台の毛材で行える。
【考案の効果】
【００１０】
この考案によれば、柄を大きく持ち替えることなくブラシ台と掻き取り部を使い分けられるとともに、掻き取り部の汚れ除去がブラシ台を用いて簡単に行うこともでき、使い勝手が良い。
【図面の簡単な説明】
【００１１】
【図１】ブラシの分解状態の側面図。
【図２】ブラシの平面図。
【図３】一端部備えるブラシ台の平面図。
【図４】図３のＡ−Ａ断面図。
【図５】取り付け部と取り付け穴の斜視図。
【図６】取り付け部と取り付け穴の底面図。
【図７】作用を示す側面図。
【図８】他の例に係るブラシの部分側面図。
【考案を実施するための形態】
【００１２】
この考案を実施するための一形態を、以下図面を用いて説明する。
【００１３】
図１に、洗浄等に際して用いられるブラシ１１の分解状態の側面図を示す。
【００１４】
このブラシ１１は、毛材１２ａ，１３ａを有するブラシ台１２，１３と、掻き取り用の掻き取り部１４，１５を、柄１６に備えた構成である。概略構造を説明すると、柄１６は棒状に形成されており、ブラシ台１２，１３と掻き取り部１４，１５は柄１６の長手方向の両端部に１個ずつ設けられている。２個のブラシ台１２，１３と２個の掻き取り部１４，１５は、それぞれ互いに異なる形態である。
【００１５】
２個のブラシ台１２，１３のうちの柄１６の一端部に設けられる一方のブラシ台１２は、柄１６に対して着脱可能であり、このブラシ台１２と共に一端部に設けられる一方の掻き取り部１４は、ブラシ台１２を柄１６から分離したときに使用可能となる構成である。
【００１６】
柄１６の他端部に設けられる別のブラシ台１３と別の掻き取り部１５は、共に柄１６に対して一体に形成されており、洗浄等をする面である被作用面に対する角度を変えることで共に使用可能である。
【００１７】
具体的に説明すると、ブラシ１１は、本体部材１１ａとブラシ部材１１ｂを有し、ブラシ部材１１ｂが、前述した柄１６の一端部に対して着脱可能なブラシ台１２である。このため本体部材１１ａは、棒状の柄１６と、１個のブラシ台１３と、２個の掻き取り部１４，１５を有することになる。
【００１８】
先に本体部材１１ａについて説明したのち、ブラシ部材１１ｂについて説明する。
【００１９】
本体部材１１ａにおける棒状をなす柄１６は、手に握れる太さであり、手に握った時に両端部が手から突出する長さである。柄１６は、上面１６ａの長手方向の中間部が凸になる円弧状に大きく湾曲している。柄１６の長手方向の中間部の下面側は、円弧の内周側に向けて大きな円弧を描いて突出する板状の突片１６ｂが形成され、柄１６の形態を補強するとともに持ちやすさの向上をはかっている。柄１６の上面１６ａの一部には滑り止め用の突条１６ｃが形成され、図２に示したように、柄１６の他端側の部位には吊り下げ等に利用できる貫通穴１６ｄが形成されている。
【００２０】
本体部材１１ａの他端部、つまり柄１６の長手方向の他端部における柄１６と一体である別のブラシ台１３と別の掻き取り部１５は次のような構成である。
【００２１】
すなわち、他端部のブラシ台１３は、柄１６に対して適宜の角度をなす平らな他端面１７を有し、この他端面１７に毛材１３ａが植設されている。他端面１７は、柄の太さに対応したものであり、長方形である。
【００２２】
他端部に形成される掻き取り部１５は、他端面１７を面方向に延ばしてブラシ台１３の縁に形成されている。つまり、他端面１７における柄１６の上面１６ａに対応する側の部位は、面方向の上面１６ａ側に延設された延設部１７ａを有し、この延設部１７ａに掻き取り部１５か形成されている。掻き取り部１５は、側面視三角形をなすヘラ状である。
【００２３】
本体部材１１ａの他端部、つまり柄１６の長手方向の一端部には、ブラシ台１２としてのブラシ部材１１ｂを着脱可能に取り付ける取り付け部２１が形成されている。取り付け部２１は、ブラシ部材１１ｂに対して差し込んで取り付けられるものであり、取り付け部２１の先端部に、掻き取り部１４が形成されている。
【００２４】
取り付け部２１は、ブラシ部材１１ｂの平らな上面１２ｂに当接する当接面２２と、当接面２２から垂設されて延びる軸部２３と、軸部２３の先端において、軸部２３の周方向の一部に張り出す抜け止め部２４を有している。
【００２５】
当接面２２は、柄１６の中間部を斜め上に傾けた姿勢にしたときに水平となる適宜の角度に形成されている。柄１６の他端部における他端面１７との関係でいえば、当接面２２は、他端面１７とのなす角度が、図１に示したような鈍角α、もしくは直角になるような角度で柄１６に対して形成されるとよい。当接面２２を有する一端部は、適宜の厚さを有する板状であり、上面には親指の腹を当てられる凹曲面２５を有している。
【００２６】
軸部２３は、横断面形状が円形であり、ブラシ部材１１ｂ（ブラシ台１２）に対する取り付けを行うのに必要な長さに設定されている。
【００２７】
抜け止め部２４は、略直方体ブロック状に形成されており、平面視形状は長方形である。その長方形の短辺の長さは軸部２３の直径よりも短く、長辺の長さは軸部２３の直径よりも長く設定されており、抜け止め部２４は、平面視形状の中央を軸部２３の軸心に対応させて形成されている。また抜け止め部２４の向きは、長辺方向が柄１６の長手方向に向くように設定されている。
【００２８】
抜け止め部２４の軸部２３と反対側の面、つまり下面に、掻き取り部１４が形成される。掻き取り部１４は、下面に対して垂直方向に突出する山形であり、複数配設されている。具体的には掻き取り部１４は、側面視逆三角形状であり、下端において短辺と平行に延びる頂辺１４ａが仮想の同一平面上に並ぶように３個形成されている。３個の掻き取り部１４のうち中間に位置する掻き取り部１４は、軸部２３に対応する部位であり、その掻き取り部１４の側面は軸部２３と同じ円弧状の膨らみを有している。
【００２９】
このような取り付け部２１に着脱可能なブラシ部材１１ｂ（ブラシ台１２）は、適宜の広がりを持つ板部３１を有し、板部３１の片面、つまり下面に毛材１２ａが植設されている。板部３１の下面は、本体部材１１ａの他端面１７よりも大きく、毛材１２ａが植設される範囲は、本体部材１１ａの他端部のブラシ台１３の場合よりも広く、毛材１２ａの本数も、本体部材１１ａの他端部のブラシ台１３の場合よりも多い。
【００３０】
板部３１は、適宜の平面視形状に形成されるが、この例では、長方形の長手方向の先端がやや先細りとなる形状であり、片手に保持可能な、握れる大きさである。板部３１の両側面は、手になじむように緩やかな凹湾状に形成されており、凹湾状をなす面に滑り止めとなる縦に延びるリブ３１ａが複数形成されている。
【００３１】
板部３１の後端側部分には、本体部材１１ａの一端部と一定の位置関係において軸部２３と抜け止め部２４を板部３１の厚さ方向に貫通する取り付け穴３２が形成されている。取り付け穴３２は、図３に示したように平面視略長方形で長辺方向の中間部に軸部２３に対応する円弧状の切り欠き３２ａを有する形状である。取り付け穴３２は、長辺方向を板部３１の長手方向と直交する幅方向に向けて、つまり本体部材１１ａを板部３１の長手方向に対して直交する位置関係にしたときに軸部２３と抜け止め部２４を貫通できる方向に設定して形成されている。
【００３２】
図３のＡ−Ａ断面図である図４に示したように、板部３１における取り付け穴３２を有する部分は他の部分より薄く形成され、板部３１の下面側に抜け止め部２４の水平回転を可能にする大きさの空洞部３３が形成されている。取り付け穴３２を形成する部分の肉厚ｔは、図５に示したように、軸部２３の長さＬよりもわずかに薄い厚さである。
【００３３】
空洞部３３は、取り付け部２１と板部３１を、軸部２３を中心にして、前述した一定の位置関係から相対回転したときに抜け止め部２４と係合する係合部３４を有している。
【００３４】
図示例の係合部３４は空洞部３３の天井面に形成されており、図６に示したように、底面から見て本体部材１１ａをブラシ部材１１ｂ（ブラシ台１２）台に対して左回転（反時計回りの回転）したときに取り付け穴３２の長辺方向と抜け止め部２４の長辺方向が直交して、それ以上の回転を阻止する位置の周り止め規制部３４ａと、回転開始時に抜け止め部２４が乗り越える高さの低規制突起３４ｂで構成されている。
【００３５】
また、板部３１の上面１２ｂには、取り付け部２１の抜け止め部２４と板部３１の係合部３４を作用させて、本体部材１１ａに対するブラシ部材１１ｂ（ブラシ台１２）の取り付けを行ったときに係合し、ブラシ部材１１ｂ（ブラシ台１２）を分離する回転を行う際に当接面２２が乗り越える高さの低規制突条３５（図２参照）が補助的に形成されている。
【００３６】
以上のように構成されたブラシ１１では、互いに形態の異な２つのブラシ台１２，１３をそれぞれ用途に応じて使い分けて洗浄等を行う。柄１６の取り付け部２１は、ブラシ台１２に対して差し込んで取り付けるものであるので、ブラシ台１２による洗浄に際して力が入らなかったりする不都合はなく、良好に洗浄等ができる。しかも取り付け部２１の上面には凹曲面２５が形成されているので、ブラシ台１２に対して力をかけやすい。このため、取り付け部２１は一方向への相対回転により分離と取り付けを行う構成ではあるが、使いやすい。
【００３７】
ブラシ台１２，１３による洗浄等に際して、柄１６の他端部に設けられたブラシ台１３を使用している場合には、柄１６の握りを変えて、図７の（ａ）に示したように、柄１６を周方向に回転してヘラ状の掻き取り部１５を被作用面Ｘに向けると、汚れなどの掻き取りが行える。
【００３８】
柄１６の一端部に設けられたブラシ台１２を使用している場合には、柄１６の長手方向を入れ替えて柄１６を持ち直すことで、柄１６の他端部に設けられた掻き取り部１５を使用できる。
【００３９】
ヘラ状の掻き取り部１５では除去しにくい汚れの場合には、柄１６の一端部からブラシ部材１１ｂ、つまりブラシ台１２を分離して、掻き取り部１４を露出させて、掻き取りに使用する。この掻き取り部１４は、ヘラ状の掻き取り部１５よりも剛性が高く複数の凹凸を有するので、しつこい汚れなどでも効果的に除去できる。
【００４０】
剛性が高く汚れの掻き取りに効果的な一端部の掻き取り部１４であるが、この掻き取り部１４は、ブラシ台１２に対して差し込んで取り付けられる取り付け部２１の先端部に形成されており、一端部のブラシ台１２を用いての洗浄等に際しては、ブラシ台１２の中に隠ぺいされる。つまり掻き取り部１４は、ブラシ台１２を使用しているときには外部に露出しないので、ブラシ台１２による洗浄に際して被作用面などを不測に傷つけたりするような不都合を回避できる。
【００４１】
汚れの掻き落としを行った掻き取り部１４，１５のうち、ヘラ状の掻き取り部１５は、平らな板状であるので、軽く洗浄したり手で拭ったりすれば容易に汚れを除去できる。一方、複数の凹凸となる掻き取り部１４の場合には、汚れなどが食い込むことがある。このような場合には、分離したブラシ部材１１ｂ（ブラシ台１２）を用いて汚れ落としができる。
【００４２】
分離したブラシ部材１１ｂ（ブラシ台１２）は、掻き取り部１４のほかにも、他端部のブラシ台１３の毛材１３ａから汚れなどを除去することにも使用できる。もちろん、分離したブラシ部材１１ｂ（ブラシ台１２）は単独で被作用面の洗浄等に使用することもできる。
【００４３】
以下、他の例について説明する。この説明において、前述の構成と同一の部位については同一の符号を付してその詳しい説明を省略する。
【００４４】
図８は他の例に係るブラシ１１の部分側面図であり、柄１６の一端部に、前述した掻き取り部に加えて、ヘラ状の掻き取り部１８を取り付け部２１に形成している。
【００４５】
ヘラ状の掻き取り部１８は、取り付け部２１の先端に、当接面２２を延長して形成されている。この掻き取り部１８の平面視形状は、例えば長方形など適宜設定されるが、掻き取り部１８の大きさはブラシ台１２の上面１２ｂに収まる大きさに設定される。
【００４６】
このようなヘラ状の掻き取り部１８を備えると、前述の効果に加えて、当接面２２が広くなりブラシ台１２を固定したとき安定性を高められるとともに、剛性の高い爪状の掻き取り部１４とヘラ状の掻き取り部１８の使用の切り替えが容易であるという利点も有する。
【００４７】
以上の構成はこの考案を実施するための一形態であって、この考案は前述の構成のみに限定されるもではなく、その他の構成を採用することもできる。
【００４８】
例えば、柄は棒状以外の手に持てる形態であってもよい。ブラシ台や掻き取り部を形成する部位も、両端部に限らずに、柄の形態に応じて適宜設定でき、形成する位置の数も適宜設定できる。
【００４９】
取り付け部とブラシ台の着脱構造は、前述例のように差し込んでから回転する構造のほか、差し込むだけで取り付けられる構造であってもよい。
【符号の説明】
【００５０】
１１…ブラシ
１２…ブラシ台
１２ａ…毛材
１３…ブラシ台
１３ａ…毛材
１４，１５，１８…掻き取り部
１６…柄
２１…取り付け部
２２…当接面
２３…軸部
２４…抜け止め部
３２…取り付け穴
３４…係合部
【図１】
0003221986.tif 000003
【図２】
0003221986.tif 000004
【図３】
0003221986.tif 000005
【図４】
0003221986.tif 000006
【図５】
0003221986.tif 000007
【図６】
0003221986.tif 000008
【図７】
0003221986.tif 000009
【図８】
0003221986.tif 000010
【手続補正書】
【提出日】平成31年4月17日(2019.4.17)
【手続補正１】
【補正対象書類名】実用新案登録請求の範囲
【補正対象項目名】請求項１
【補正方法】変更
【補正の内容】
【請求項１】
毛材を有するブラシ台と、掻き取り用の掻き取り部を、柄に備えたブラシであって、
前記柄の少なくとも一部に、前記ブラシ台の取り付け穴に差し込んで取り付けられるとともに、前記取り付け穴から取り外せる取り付け部が形成され、
前記取り付け部に、前記ブラシ台を分離したときに前記取り付け穴から露出する前記掻き取り部が形成された
ブラシ。